(57)【要約】【課題】ユーザがコンテンツを容易に選ぶことに寄与する情報処理装置、情報処理方法及びプログラムを提供すること。【解決手段】実施形態によれば、情報処理装置は、第１表示制御手段、第２表示制御手段、第３表示制御手段を具備する。  第１表示制御手段は、画面の第１領域に番組表を表示し、画面の第２領域に１番組の番組情報を表示する。第２表示制御手段は、第２領域に表示されている番組情報の関連情報を第１領域に表示する。第３表示制御手段は、第１領域に他の番組の番組情報が表示されると、第２領域に他の番組の番組情報を表示する第３表示制御手段と、を具備する。【選択図】図１１
2014132710.tif 000002
【特許請求の範囲】
【請求項１】
画面の第１領域に番組表を表示し、画面の第２領域に１番組の番組情報を表示する第１表示制御手段と、
前記第２領域に表示されている番組情報の詳細情報を前記第１領域に表示する第２表示制御手段と、
前記第１領域に他の番組または他の作品の詳細情報が表示されると、前記第２領域に前記他の番組または他の作品の番組情報を表示する第３表示制御手段と、
を具備する情報処理装置。
【請求項２】
前記第１領域に表示されている詳細情報に関連する人物情報を検索する検索手段をさらに具備し、
第２表示制御手段は、前記検索手段の検索結果を前記第１領域に表示する請求項１記載の情報処理装置。
【請求項３】
前記第１領域に表示される詳細情報は、番組のサムネイルまたは番組の概要を含む請求項１記載の情報処理装置。
【請求項４】
リモートコントローラの多機能キーに割り当てられている機能と、当該機能における設定状況とを表すアイコンを画面の第３領域に表示する第４表示制御手段をさらに具備する請求項１記載の情報処理装置。
【請求項５】
前記第１表示制御手段は、所定のジャンルのチャンネルの番組表を前記第１領域に表示する請求項１記載の情報処理装置。
【請求項６】
前記第１表示制御手段は、前記番組表の各番組枠を番組の属性に応じて異なる態様で表示する請求項１記載の情報処理装置。
【請求項７】
画面の第１領域に番組表を表示し、画面の第２領域に１番組の番組情報を表示する第１表示制御ステップと、
前記第２領域に表示されている番組情報の詳細情報を前記第１領域に表示する第２表示制御ステップと、
前記第１領域に他の番組または他の作品の詳細情報が表示されると、前記第２領域に前記他の番組または他の作品の番組情報を表示する第３表示制御ステップと、
を具備する情報処理方法。
【請求項８】
コンピュータにより実行されるプログラムであって、前記プログラムは前記コンピュータを
画面の第１領域に番組表を表示し、画面の第２領域に１番組の番組情報を表示する第１表示制御手段と、
前記第２領域に表示されている番組情報の詳細情報を前記第１領域に表示する第２表示制御手段と、
前記第１領域に他の番組または他の作品の詳細情報が表示されると、前記第２領域に前記他の番組または他の作品の番組情報を表示する第３表示制御手段と、
して動作させるものであるプログラム。
【発明の詳細な説明】
【技術分野】
【０００１】
本発明の実施形態はテレビジョン受信装置等の映像コンテンツを扱う情報処理装置、情報処理方法及びプログラムに関する。
【背景技術】
【０００２】
近年、テレビジョン受信装置は、多チャンネル化が進み、多種多様な番組を視聴することができる。また、番組を視聴するだけでなく、テレビジョン受信装置に内蔵の記録装置、あるいは外付けの記録装置に番組を録画して、後で視聴することができる。記録装置は大容量化が進み、多くの番組を録画することができるようになっている。このように、最近のテレビジョン受信装置は、視聴可能な多くの番組をユーザに提供できる。ユーザは、番組表あるいは録画リストの多くの番組の中から視聴する番組を選ぶ。また、録画の際も、ユーザは電子番組表から所望の番組を選ぶ。
【先行技術文献】
【特許文献】
【０００３】
【特許文献１】特表2002-504281号公報
【発明の概要】
【発明が解決しようとする課題】
【０００４】
現在の情報処理装置は大量のコンテンツをユーザに提供できる反面、ユーザがその中からコンテンツを選ぶことは容易ではなかった。
【０００５】
本発明の目的はユーザがコンテンツを容易に選ぶことに寄与する情報処理装置、情報処理方法及びプログラムを提供することである。
【課題を解決するための手段】
【０００６】
実施形態によれば、情報処理装置は、第１表示制御手段と、第２表示制御手段と、第３表示制御手段とを具備する。第１表示制御手段は、画面の第１領域に番組表を表示し、画面の第２領域に１番組の番組情報を表示する。第２表示制御手段は、第２領域に表示されている番組情報の関連情報を第１領域に表示する。第３表示制御手段は、第１領域に他の番組の番組情報が表示されると、第２領域に他の番組の番組情報を表示する。
【図面の簡単な説明】
【０００７】
【図１】実施形態の情報処理装置を含む情報処理システムの一例の全体構成を示すブロック図である。
【図２】実施形態の情報処理装置の一例であるテレビジョン受信装置の構成を示すブロック図である。
【図３】実施形態のテレビジョン受信装置のリモートコントローラの構成を示す平面図である。
【図４】実施形態のテレビジョン受信装置のクラウドメニューの一例を示す図である。
【図５】実施形態のテレビジョン受信装置のメディアガイドメニューの一例を示す図である。
【図６】実施形態のテレビジョン受信装置の電子番組表の一例を示す図である。
【図７】実施形態の電子番組表の１つの番組枠の構成の一例を示す図である。
【図８】実施形態の電子番組表の番組選択時の表示変化の一例を示す図である。
【図９】実施形態の電子番組表のファンクションポップアップメニューの一例を示す図である。
【図１０】実施形態の電子番組表の番組詳細表示の一例を示す図である。
【図１１】実施形態の電子番組表のキャストの詳細表示の一例を示す図である。
【図１２】図１１のキャストの詳細表示から作品を選択した時の作品詳細表示の一例を示す図である。
【図１３】実施形態のメディアガイドメニューにソフトウェアキーボードを重畳した時の画面表示の一例を示す図である。
【図１４】図１３のソフトウェアキーボードを用いて検索キーワードを入力した時の画面表示の一例を示す図である。
【図１５】図１３のソフトウェアキーボードを用いたクロスメディアサーチのサーチ結果の一例を示す図である。
【図１６】図１３のソフトウェアキーボードを表示するための画面のレイヤ構成の一例を示す図である。
【図１７】図６の電子番組表の表示中に青色のカラーキーが押された時に表示されるジャンプメニューの一例を示す図である。
【図１８】図１７のジャンプメニューの表示中に「現在」が選択された場合の画面表示の一例を示す図である。
【図１９】図１７のジャンプメニューの表示中に「チャンネルジャンプ」が選択された場合の画面表示の一例を示す図である。
【図２０】図１９のチャンネルジャンプメニューの表示中に、各項目が選択された場合の画面表示の一例を示す図である。
【図２１】図１７のジャンプメニューの表示中に「日時指定」が選択された場合の画面表示の一例を示す図である。
【図２２】図１７のジャンプメニューの表示中に「関連番組」が選択された場合の画面表示の一例を示す図である。
【図２３】図６の電子番組表の表示中に赤色のカラーキーが押された時に表示されるチャンネルモードメニューの一例を示す図である。
【図２４】図６の電子番組表の表示中に緑色のカラーキーが押された時に表示されるビューフィルタメニューの一例を示す図である。
【図２５】図２４のビューフィルタメニューにおける色設定の一例を示す図である。
【発明を実施するための形態】
【０００８】
以下、実施形態について図面を参照して説明する。
【０００９】
図１は、実施形態の情報処理装置を含む情報処理システムの一例の全体構成を示すブロック図である。情報処理装置は、テレビジョン受信装置、テレビジョン受信機能付きのパーソナルコンピュータ、ディスク記録再生装置等を含むが、ここでは、録画機能を有するテレビジョン受信装置を例にとり説明する。
【００１０】
テレビジョン受信装置１２にはネットワーク機能が備えられ、ディスク記録再生装置１３等とともに、ルータ１４に接続され、家庭内ネットワークを構成する。なお、ディスク記録再生装置１３は必須ではなく、必要に応じて接続される。さらに、チューナ付きのパーソナルコンピュータやスマートフォン、タブレット等の携帯端末も無線によりルータ１４に接続されてもよい。ルータ１４はモデム１６を介してインターネット１８に接続される。図示しないが、ルータ１４にはテレビジョン受信装置１２の外付けのハードディスクドライブも接続可能である。
【００１１】
インターネット１８には、クラウドサービスを提供するクラウドサーバ２０と、ソーシャルネットワークサービスサイト４０も接続される。クラウドサービスは、サービス提供会社が提供するサービス、動画再生等テレビジョン受信装置１２本体の機能へのリンクを提供する。また、クラウドサービスを使って番組情報を他人と交換したり、お好みの動画やショッピングを楽しむこともできる。クラウドサーバ２０は、電子番組表データ（ＥＰＧデータ）をテレビジョン受信装置１２に送信する番組情報サーバ２２と、テレビジョン受信装置１２のユーザからのリクエストに応じて映像コンテンツをユーザに送信するビデオオンデマンド（ＶＯＤ）サーバ２４、テレビジョン受信装置１２あるいはテレビジョン受信装置１２のユーザ毎の行動（視聴、録画、再生、ネットショッピング等）の履歴を管理するログサーバ２６と、テレビジョン受信装置１２あるいはテレビジョン受信装置１２のユーザ毎のお薦め番組をユーザに知らせるお薦めサーバ２８と、テレビジョン受信装置１２のユーザからの検索要求に応じて検索処理を実行し、検索結果をユーザに送信する検索サーバ３０とを含む。なお、電子番組表データをテレビジョン受信装置１２に送信するのは、インターネット１８経由ではなく、テレビジョン放送信号に多重して送信することもできるので、番組情報サーバ２２は設けなくてもよい。ＶＯＤサーバ２４は複数のＶＯＤサービス会社のサーバの場合もある。ログサーバ２６は、テレビジョン受信装置１２で視聴、録画、再生、ネットショッピング等がなされると、インターネット１８を経由して自動的にその情報を取得し、テレビジョン受信装置１２あるいはテレビジョン受信装置１２のユーザ毎に情報を蓄積する。ログサーバ２６は、テレビジョン受信装置１２で録画された番組の情報も有している。蓄積データからテレビジョン受信装置１２あるいはテレビジョン受信装置１２のユーザ毎の嗜好が判る。お薦めサーバ２８は、ログサーバ２６の蓄積情報を元にテレビジョン受信装置１２あるいはテレビジョン受信装置１２のユーザ毎にお薦め番組、作品の情報を提供する。検索サーバ３０は、テレビジョン受信装置１２から送信されるキーワードに基づいて、クラウドサーバ２０が有している映像コンテンツ（電子番組表の番組、録画リストの番組、ＶＯＤのビデオ作品））を検索し、キーワードに関連するコンテンツを見つける。なお、各サーバ２２、２４、２６、２８、３０は物理的に独立したサーバである必要はなく、クラウドサーバ２０を機能により概念的に分離したものでもよい。
【００１２】
ソーシャルネットワークサービスサイト４０は、多くのユーザから投稿された様々な情報を有する。この情報は、映像コンテンツに関する評判や、他人にお勧めしたいコンテンツ等の情報を含む。クラウドサーバ２０がコンテンツを探す際、ソーシャルネットワークサービスサイト４０の情報も利用することにより、多様性に富んだ検索を行なうことが出来る。
【００１３】
図２はテレビジョン受信装置１２のブロック図である。ＢＳ／ＣＳデジタル放送受信用のアンテナ１０２で受信した衛星デジタル放送信号は、入力端子１０６を介して衛星デジタル放送用のチューナ１０８に供給されることにより、所望のチャンネルの放送信号が選局される。
【００１４】
地上波放送受信用のアンテナ１０４で受信した地上デジタルテレビジョン放送信号は、入力端子１１０を介して地上デジタル放送用のチューナ１１２Ａ、１１２Ｂ、１１２Ｃに供給されることにより、所望のチャンネルの放送信号が選局される。
【００１５】
有料放送の放送信号はスクランブルされている。図では４台のチューナを示しているが、さらに増設されてもよいことは勿論であるし、３台以下でも良い。また、放送は空中を伝播してくる電波を受信するものに限らず、ケーブルＴＶやＩＰ（インターネット・プロトコル）網等のネットワークを介して放送局から配信される番組を受信可能な放送でも良い。
【００１６】
チューナ１０８、１１２Ａ、１１２Ｂ、１１２Ｃで受信された放送番組の信号は、再多重部として機能するＴＳ処理部１２２に入力され、複数のチャンネル（ＣＨ）のＴＳ（トランスポートストリーム）が１つのＴＳに再多重される。
【００１７】
ＴＳ処理部１２２から出力されるＴＳには、複数のチャンネルのＴＳのパケットが時分割多重されている。したがって、ＴＳ処理部１２２は、例えば４ＣＨの入力の場合は、パケットの配列を入力の５倍の速度で時分割多重して多重ＴＳを出力している。そして多重ＴＳのパケット配列の中に、制御情報パケットを埋め込んでいる。制御情報パケットは、多重されている各チャンネル用のチャンネルパケットのタイムスタンプ情報、パケット配列順情報などの制御情報を搬送する。
【００１８】
ＴＳ再多重方式は、ここで述べる方式に限定されるものではなく、各種の方法が可能である。ＴＳ処理部１２２で再多重化されたＴＳはＴＳ分離器１２３に送られる。ＴＳ分離器１２３は、放送番組の信号から暗号化情報であるＥＣＭ（Entitlement Control Message）と、番組名、出演者、開始時刻などのイベント情報を記述したテーブルであるＥＩＴ（Event Information Table）とを分離する。またＥＰＧ（Electric Program Guide：電子番組ガイド）データなども分離し、制御装置１５０に供給する。放送番組のＴＳは、番組ＴＳ処理部１２４に送られる。
【００１９】
テレビジョン受信装置１２は、上記した各種の受信動作を含むその全ての動作を制御部１５０によって統括的に制御されている。制御部１５０は、ＣＰＵ（central processing unit）１５４を内蔵しており、キャビネットの前面に配置された操作部１５２からの操作情報を受け、または、リモートコントローラ１７０から送出され受光部１７２で受信した操作情報を受けて、その操作内容が反映されるように各部をそれぞれ制御している。
【００２０】
制御部１５０は、主として、そのＣＰＵ１５４が実行する制御プログラムを格納したＲＯＭ（read only memory）１５６と、該ＣＰＵ１５４に作業エリアを提供するＲＡＭ（random access memory）１５８と、各種の設定情報及び制御情報、ＥＰＧデータ等が格納される不揮発性メモリ１６０と、予約設定部１６２、番組表作成制御部１６４、録画再生制御部１６６、画質調整部１６８とを備えている。番組表作成制御部１６４は、放送信号あるいはネットワーク等を介して予め取得したＥＰＧデータに基づいて電子番組表を作成し、画面に映像表示する。ＥＰＧデータは通常は放送信号を介して取得され、チューナ１０８、１１２Ａ、１１２Ｂ、１１２Ｃを制御してアンテナを介して受信される放送信号からＥＰＧデータが分離される。しかし、これ以外にも通信Ｉ／Ｆ１８２、ＬＡＮ端子１８０、ルータ１４を介してインターネット１８からＥＰＧデータを取得することも可能である。ＥＰＧデータは不揮発性メモリ１６０に格納される。これにより、ユーザは、映像表示された電子番組表から所望の番組を選択して、視聴や録画予約等を行なうことができる。予約設定部１６２は放送番組の録画・視聴を予約する。録画再生制御部１６６は予約設定部１６２の予約情報に基づいて録画を実行することで、番組の予約録画を行う。
【００２１】
制御部１５０は、カードＩ／Ｆ１７８を介して、メモリカード（ＩＣカード）１７４が装着可能なカードホルダ１７６に接続されている。これにより、制御部１５０は、カードホルダ１７６に装着されたメモリカード１７４と、カードＩ／Ｆ１７６を介して情報伝送を行なうことができる。メモリカード１７４は、例えば放送受信契約の契約情報等を記録するものである。
【００２２】
制御部１５０は、ルータ１４に接続されたディスク記録再生装置１３、パーソナルコンピュータ等と情報伝送を行なうことができる。また、制御部１５０は、ルータ１４、モデム１６を介してインターネット１８にも接続される。
【００２３】
制御部１５０は、ＵＳＢ Ｉ／Ｆ１８８を介してＵＳＢ端子１８６に接続されている。これにより、制御部１５０は、ＵＳＢ端子１８６に接続されたＵＳＢ対応のハードディスクドライブ（ＨＤＤ）１８４とＵＳＢ Ｉ／Ｆ１８８を介して情報伝送を行なうことができる。なお、ハードディスクドライブは外付けに限らず、内蔵してもよい。内蔵ハードディスクドライブは図示しないＡＴＡインターフェース等を介して制御部１５０に接続される。また、外付けの場合も１台に限らず、複数台のハードディスクドライブを接続することもできる。さらに、ハードディスクドライブはルータ１４にＬＡＮ接続されたドライブでもよい。
【００２４】
番組ＴＳ処理部１２４では、有料番組に関する番組ストリームに関しては、デスクランブルなどが行われる。デスクランブルのための鍵は、制御部１５０により生成される。制御部１５０は、ＥＣＭに含まれている情報、メモリカード１７４の契約情報などを利用して、鍵を生成している。無料番組に関する番組ストリームは、デスクランブルされることなく通過する。
【００２５】
番組ＴＳ処理部１２４から出力された番組ＴＳは、セレクタ１２５と、制御部１５０内の録画再生制御部１６６に供給される。セレクタ１２５は、ユーザが視聴しようとする番組のＴＳを選択して、ＡＶデコーダ１２６に供給する。番組ＴＳ内の映像パケットに含まれる映像データは、例えばＭＰＥＧ(Moving Picture Expert Group)方式、ＡＶＣ(Advanced Video Coding)方式などでエンコードされている。また、オーディオパケット内のオーディオデータは、例えば、ＰＣＭ(Pulse Code Modulation)方式、Ｄｏｌｂｙ方式、ＭＰＥＧ方式などでエンコードされている。ＡＶデコーダ１２６は、番組の映像パケットと、オーディオパケットを分離し、各パケット内のデータを各方式に応じてデコードする。
【００２６】
デコードされたオーディオデータは、音声処理部１３０で音量・音質が調整されてアナログ音声信号に変換した後、スピーカシステム１３２に供給される。
【００２７】
デコードされた映像データは、グラフィックス処理部１３４に供給される。グラフィックス処理部１３４は、ＡＶデコーダ１２６から供給されるデジタルの映像信号に、ＯＳＤ（on screen display）信号生成部１３６で生成されるＯＳＤ信号を重畳して出力する機能を有する。また、グラフィックス処理部１３４は、ＡＶデコーダ１２６の出力映像信号と、ＯＳＤ信号生成部１３４の出力ＯＳＤ信号とを選択的に出力することや、両出力をそれぞれ画面の半分を構成するように組み合わせて出力することができる。
【００２８】
グラフィックス処理部１３４から出力されたデジタルの映像信号は、映像処理部１３８に供給される。映像処理部１３８は、入力されたデジタルの映像信号をＬＣＤパネル、プラズマディスプレイパネル、ＳＥＤパネル等からなるディスプレイ１４０で表示可能なフォーマットのアナログ映像信号に変換した後、ディスプレイ１４０に出力して映像表示させる。映像処理部１３８は、画質・色合・表示スケール、ライン数、解像度なども調整する。音声処理部１３０と映像処理部１３８に対する調整・制御データは、制御装置１５０から与えられる。
【００２９】
録画再生制御部１６６は、番組ＴＳ処理部１２４からの番組ＴＳを、ＵＳＢ端子１８６を介してハードディスクドライブ１８４に供給、及び又は通信Ｉ／Ｆ１８２、ＬＡＮ端子１８０、ルータ１４を介してディスク記録再生装置１３に供給することができる。ハードディスクドライブ１８４が大容量であれば、録画番組を個別に指定しないで、指定したチャンネルの放送番組を数日分全て記録することも可能である。ディスク記録再生装置１３は、ＤＶＤ、ＢＤなどのリムーバブルなディスクの再生、又はこれらディスクに対する信号記録を行うことができる。ディスク記録再生装置１３は、図１に示すように家庭内ネットワークを介してテレビジョン受信装置１２に接続されており、家庭内のサーバとして機能することも可能である。
【００３０】
制御装置１５０は、番組表作成制御部１６４を含む。番組表作成制御部１６４は、ＥＰＧデータに基づいて現在も含めた今後の番組に関する番組表を作成する。あるいは、指定したチャンネルの放送番組を数日分全て記録している場合は、過去・現在・未来の番組に関するＥＰＧデータを利用し、既にハードディスクドライブ１８４に格納されている過去に放送された番組に関する番組表・現在放送中の番組に関する番組表・未来（１ヶ月程度）の番組に関する番組表を繋げて管理することもできる。
【００３１】
図３は、リモートコントローラ１７０の外観を示す平面図である。リモートコントローラ１７０には、主として、電源キー５０、入力切換キー５１、地デジ／ＢＳ／ＣＳの放送切替キー５２、ダイレクト選局キー５４、チャンネルアップダウンキー５８、音量調整キー５６、クラウドメニューキー６０、マルチキー６２ｃ、カーソルキー６２ｂ、決定キー６２ａ、カラーキー（青）６４、カラーキー（赤）６６、カラーキー（緑）６８、カラーキー（黄）７０等が設けられている。
【００３２】
カーソルキー６２ｂは上下左右の４箇所を押すことができ、押した位置に応じてカーソルを画面内の上下左右のいずれかにシフトさせることができる。シフトとは最小単位の移動を表し、メニュー内の隣のボタン、電子番組表の隣の番組枠に移動すること等である。マルチキー６２ｃは上下左右に加えて斜めの計８箇所を押すことができ、カーソルの表示中に上下左右のいずれかを押すとカーソルを上下左右方向にジャンプさせることができ、斜めを押すと「タイムシフト」、「番組表」、「終了」、「戻る」の４つのキーと等価のキー操作ができる。ジャンプとはシフトよりも大きい単位でカーソルを移動することや、画面を他のページに切換えること等を意味する。そのため、カーソルジャンプとページ切換えは同義で使われる。
【００３３】
テレビジョン受信装置１２では、ユーザがリモートコントローラ１７０のマルチキー６２ｃ内の「番組表」をキー操作することにより、電子番組表をディスプレイ１４０に表示させることができる。なお、この電子番組表は、予め放送信号やネットワーク等を介して取得した番組情報であるＥＰＧ情報に基づいて番組表作成制御部１６４により作成されるものである。また、ユーザがリモートコントローラ１７０の録画リストキーをキー操作することにより、録画した番組の一覧をディスプレイ１４０に表示させることができる。
【００３４】
次に、このように構成された情報処理システムにおけるテレビジョン受信装置１２の操作例を説明する。テレビ番組の視聴中、録画番組の再生中、あるいはＶＯＤのビデオ作品を視聴中に、リモートコントローラ１７０のクラウドメニューキー６０が押されると、図４に示すようなクラウドメニュー画面が表示される。ユーザはクラウドサービスを受けることを希望する時にクラウドメニューキー６０を押してもよい。クラウドメニューは種々のクラウドサービスの一覧であり、提供を受けられるクラウドサービスの種類に応じてメニュー項目は変化するので、図４はクラウドメニューの一例である。クラウドメニューは、現在視聴・再生中のテレビ番組あるいはＶＯＤサービスを利用中はビデオ作品のウィンドウ等を含む。各種サービスの選択ボタンはメディアガイドボタン７４を含む。クラウドメニュー画面が表示されると、メニュー項目（ボタン）のいずれかにカーソルが位置し、リモートコントローラ１７０のカーソルキー６２ｂの操作により、カーソルがメニューの各項目に移動し、決定キー６２ａを操作すると、そのメニュー項目が選択される。
【００３５】
上述したように、テレビジョン受信装置１２は、多くのチャンネルから番組を選ぶことができるし、多くの番組を録画することができるとともに、ＶＯＤサーバ２４からも多くのビデオ作品を視聴することができるので、これらの多くの番組、作品（これらを映像コンテンツとも総称する）から視聴する番組、作品を効率良く、かつ的確に選ぶことが望まれている。本実施形態は、種々の映像コンテンツの効率良い、かつ的確な検索のためのメディアガイドメニューを用意している。クラウドメニューのメディアガイドボタン７４が選択されると、図５に示すようなメディアガイドメニューが表示される。
【００３６】
メディアガイドメニューは、クロスメディアサーチバー２０２、番組表ウィンドウ２０４、ＶＯＤポータルウィンドウ２０６、ＴＶポータルウィンドウ２０８、設定ウィンドウ２１０を含む。クロスメディアサーチバー２０２は、テレビジョン受信装置１２で視聴可能なテレビ番組、録画番組、ＶＯＤビデオ作品等を検索する際にキーワードを入力する領域である。番組表ウィンドウ２０４は、現在視聴中のテレビ番組を中心とする電子番組表の一部分を拡大して表示する。ＶＯＤポータルウィンドウ２０６は、現在視聴中のテレビ番組あるいはビデオ作品に関連するＶＯＤコンテンツのタイトルサムネイルとＶＯＤサービス会社名を表示する。ＴＶポータルウィンドウ２０８は、ユーザへお薦めするテレビ番組あるいは録画番組のタイトルサムネイルとチャンネル名を表示する。設定ウィンドウ２１０は種々の設定メニューへのポータルボタンである。
【００３７】
メディアガイドメニューの番組表ウィンドウ２０４が選択されると、図６に一例を示すような電子番組表が表示される。なお、電子番組表は、リモートコントローラ１７０のマルチキー６２ｃの「番組表」が押された場合も表示される。
【００３８】
図６に示す電子番組表は、縦方向がチャンネルを、横方向が時間（現在時刻を始点とする）を表し、各番組を表す番組枠を縦横に配置し、例えば８チャンネル（便宜上、６チャンネルを図示）の４時間（便宜上、２時間半を図示）分の番組枠を縦横に配列したレイアウトになっている。番組枠の一例を図７に示す。番組の時間に応じた長さの横長の番組枠２２２は、番組名の前で枠の先頭に縦のカラーバー２２４を含み、番組名の後で枠の最後に所定のアイコン２２６、例えば星マークを含む。カラーバー２２４は番組のジャンルに応じて色分けされている。例えば、スポーツは赤、ドラマは青、映画は緑等のカラーバー２２４が表示される。なお、ジャンルを表すのに、カラーバーに限らず、ジャンルのアイコンを表示してもよい。所定のアイコン２２６は、種々の情報を表すことができ、例えば、お薦めサーバ２８からの情報に基づいてお薦めの度合いを星の数で表しても良い。
【００３９】
さらに、ジャンルの色分け態様や、所定のアイコン２２６の表示態様は後述するビューフィルタ機能により制御することができる。すなわち、カラーバー２２４がジャンルを表す場合でも、他の色を割り当てることができるし、ジャンル以外を表すこともできる。さらに、所定のアイコン２２６は、お薦めサーバ２８以外のクラウドサーバ２０からの情報を表すこともできる。
【００４０】
チャンネル数が６より多い場合は、マルチキー６２ｃを上下方向に押すことによりページを上下に切り換えるとともにカーソルをジャンプさせることにより、現在表示されているチャンネル群以外のチャンネルの番組表を表示することができる。同様に、現在表示されている時間帯以外の時間帯の番組表を見たい場合は、マルチキー６２ｃを左右方向に押すことによりページを左右に切り換えるとともにカーソルをジャンプさせることにより、現在表示されている時間帯以外の時間帯の番組表を表示することができる。
【００４１】
なお、１０分以下の番組枠は幅が狭いので、番組名は表示できない。そのため、１０分以下の番組枠は単なる縦長のバーとして表示し、カーソルが位置するとポップアップする。
【００４２】
電子番組表のレイアウトは、中央部に番組枠の配列部分（いわゆる番組表）が配置され、番組表の左端には、テレビ局の名称とチャンネル番号が表示され、上端には時間の目盛が表示される。このチャンネル番号を参照して、ダイレクト選局キー５４を用いてチャンネル番号を直接入力することにより、所望のチャンネルの番組表へジャンプすることができる。
【００４３】
番組表の上部余白（数行の番組枠に相当する）には、タイトル情報欄２１２と、青、赤、緑の３色のカラーキーの定義アイコン欄２１９が左右に並んで設けられる。タイトル情報欄２１２には番組表中のカーソルが位置する番組（図６の太枠の番組枠）に関する番組情報が表示される。番組情報は、テレビ局の名称と、番組名と、放送日時と、番組のサムネイルを含む。図６はカーソルが放送局（ＢＢ  ＴＶ）の午後７時２５分から７時３０分までの番組に位置する場合を示し、番組枠がポップアップしている。カーソルが移動すると、図８に示すようにタイトル情報欄２１２に表示される番組情報も、別の放送局（ＤＤ  ＴＶ）の午後７時から１１時までの番組情報に変化する。このように、カーソルを移動し、カーソルが他の番組の番組枠に位置するようになると、タイトル情報欄２１２の表示も連動して変わる。
【００４４】
リモートコントローラ１７０のカラーキーは状況に応じて種々の機能が割り当てられている。現在、割り当てられている機能をユーザに判りやすく知らせるために、番組表の右上（上部余白の右側）に定義アイコン欄２１９が設けられている。ここでは、青、赤、緑の３色のカラーキーより設定できる機能の種類と、設定状態を示すための青、赤、緑のカラーキーアイコン２１４、２１６、２１８が表示される。カラーキーアイコン２１４、２１６、２１８の詳細は後述する。
【００４５】
番組表の下端には、視聴中の番組の残り時間あるいは録画予約されている時間帯を示す時間帯ラインマーカ２３０が表示される。さらに、時間帯ラインマーカ２３０の下部には、カラーキーの機能を説明するメッセージも表示されている。
【００４６】
電子番組表は時間とチャンネルが２次元配列されていれば良く、縦横は図６とは逆でも良い。即ち、チャンネルを横方向とし、時間を横方向としてもよい。チャンネル数、時間の具体的な数値はユーザが自由に設定できるようにしてもよい。
【００４７】
図６あるいは図８の電子番組表の表示中に決定キー６２ａを押すと、その時点でカーソルが位置する番組が選択され、図９に示すようなファンクションポップアップメニュー２４０が表示される。ファンクションポップアップメニュー２４０は録画予約ボタン２４２と、番組残り時間表示ボタン２４４と、履歴ボタン２４６と、詳細ボタン２４８を含む。各ボタンが選択されると、該当する機能のメニューが表示される。
【００４８】
詳細ボタン２４８が選択されると、図１０に示すような番組詳細画面が表示される。番組詳細画面は電子番組表の画面とレイアウトが同じであり、図６または図８の電子番組表のタイトル情報欄２１２と同じタイトル情報欄２１２が上部余白に表示される。図１０の番組詳細画面では、図６または図８の電子番組表の番組枠の配列部分の代わりに、種々の詳細情報が表示される。詳細情報は詳細の種類を選択する選択ボタン欄２５２を含む。ボタン欄２５２は、戻るボタン、詳細ボタン、タイマボタン、キャストボタン、スタッフボタン、ＶＯＤ／ＴＶボタン、お薦めボタン、ＳＮＳ／リンクボタン、履歴ボタン等を含む。選択ボタン欄２５２の詳細ボタンが選択されると、選択ボタン欄２５２の隣に、当該番組のサムネイルと概要からなる番組詳細２５８が表示され、さらにその隣に、関連情報一覧２５４が表示される。関連情報一覧２５４は、再生可能ボタン、予告編（１）ボタン、予告編（２）ボタン、インタビューボタン、ビデオボタン、写真ボタン、賞ボタン等を含む。
【００４９】
選択ボタン欄２５２のタイマボタンが選択されると、その番組の録画予約に関する情報が表示される。
【００５０】
選択ボタン欄２５２のキャストボタンが選択されると、図１１に示すような人物詳細画面が表示される。人物詳細画面は電子番組表の画面とレイアウトが同じであり、図６または図８の電子番組表のタイトル情報欄２１２と同じタイトル情報欄２１２が上部余白に表示される。選択ボタン欄２５２のスタッフボタンが選択されると、同様に人物詳細画面が表示される。図１１のキャスト詳細画面では、図６または図８の電子番組表の番組枠の配列部分の代わりに、種々の詳細情報が表示される。詳細情報は詳細の種類を選択する選択ボタン欄２５２を含む。選択ボタン欄２５２の隣には、図１０の番組詳細２５８、関連情報一覧２５４の代わりに、俳優一覧２６０が表示される。俳優一覧２６０の中の俳優が選択されると、俳優の顔写真２６２、俳優のプロフィール２６４、俳優の関連情報一覧２６６が俳優一覧２６０の隣に表示される。俳優の関連情報一覧２６６は俳優として出演する作品一覧、スタッフ（例えば、監督）として関係する作品一覧を含む。
【００５１】
画面最上部のタイトル情報欄２１２は、番組詳細画面（図１０）から人物詳細画面（図１１）に変化しても、変化しない。すなわち、図８の状態の電子番組表において選択された番組の詳細表示から、番組に関する人物の詳細表示に変化しても、タイトル情報欄２１２は図８の状態の電子番組表において選択された番組に関する番組情報が表示され続ける。
【００５２】
しかし、図１１の人物詳細画面で、その人物に関する別の番組・作品が選択されると、図１２に示すように、別の番組・作品の詳細画面に変化し、画面最上部のタイトル情報欄２１２も別の番組・作品番組の情報に変化する。勿論、サムネイル２５６Ａと概要２５８Ａも別の番組・作品に対応するものに変化する。このように、電子番組表のレイアウトを維持したまま、ある番組を起点に検索を行なっている間は、タイトル情報欄は当該番組の情報を表示し続ける。
【００５３】
選択ボタン欄２５２のＶＯＤ／ＴＶボタン、お薦めボタン、ＳＮＳ／リンクボタン、履歴ボタンが選択された場合も、同様に、ＶＯＤリスト／当該番組の再放送リスト、ユーザにお薦めの番組リスト、ＳＮＳで話題になっている番組リスト、ユーザの操作履歴方法が表示される。この時の詳細表示画面も電子番組表の画面とレイアウトが同じであり、図６または図８の電子番組表のタイトル情報欄２１２と同じタイトル情報欄２１２が上部余白に表示され、その内容は番組詳細画面（図１０）から他の詳細画面に変化しても、変化しない。
【００５４】
従来、電子番組表を用いて番組に関する関連情報を検索することができる。例えば、番組の出演者の情報、番組に関連する番組の情報、その番組の視聴者に対して推薦する番組の情報等を、番組を起点に検索することができる。ここで、関連の関連の…のように、検索を続けていくと、今、何の番組に基づく検索をしているのか、認識しづらくなる。一般的な動画コンテンツの検索であれば、これでもよいが、テレビ番組等、夫々の作品に対して出演者情報、関連番組情報等のより詳細な情報がある場合は、番組単位での検索結果が把握できた方がよりユーザフレンドリである。
【００５５】
そのため、本実施形態では、図１０から図１２に示すように、番組・作品詳細を検索するユーザインターフェースにおいて、上部にタイトル情報欄を設けて、その欄に表示される番組・作品を検索の起点としている。タイトル情報欄の下の領域は、起点に応じた検索結果の詳細情報を表示する。タイトル情報欄が、番組Ａから番組Ｂに変化すると、下の領域も番組Ａの詳細情報ではなく、番組Ｂの詳細情報に変化する。また、電子番組表で、何かの番組を選択すると、選択した番組の番組情報が、タイトル情報欄に表示される。
【００５６】
番組情報は、通常は、詳細情報の位置づけで、付加的な位置に表示される。例えば、下の領域で、キャストを選択すると、そのキャストの出ている番組の番組情報が、タイトル情報欄に表示される。この場合は、どの番組を起点として検索をしているのか判らなくなる。
【００５７】
本実施形態によれば、タイトル情報欄に、起点となるキーワードを置き続ける。下の領域で、同じタイトル情報にかかる情報を変遷して表示させ続けている限りは、タイトル情報欄は、変わらない。ユーザインターフェースとしての一貫性がある。言い換えると、通常のユーザインターフェースは、階層構造で、検索が進むにつれて階層が深くなるが、本実施形態のユーザインターフェースは、番組・作品レベルで、１階層構造で管理している。このため、作品単位での検索結果をより簡単な操作性で提供することができる。
【００５８】
番組詳細情報の他の例を表１、表２に示す。
【表１】
2014132710.tif 000003
【表２】
2014132710.tif 000004
【００５９】
人物詳細情報と番組詳細情報の関係の一例を表３に示す。
【表３】
2014132710.tif 000005
【００６０】
次に、クロスメディアサーチバー２０２について説明する。図５に示すようなメディアガイドメニューの表示中に、カーソルをクロスメディアサーチバー２０２内に移動すると、図１３に示すようなソフトウェアキーボード２７６、ヒストリーボタン２７２、第１ホットキーボタン２７３、第２ホットキーボタン２７４が表示される。クロスメディアサーチバー２０２、ソフトウェアキーボード２７６、ヒストリーボタン２７２、第１ホットキーボタン２７３、第２ホットキーボタン２７４は同じレイヤにあり、互いにカーソルが移動自在である。
【００６１】
この状態で、カーソルをソフトウェアキーボード２７６上に移動し、各文字を１つずつ選択することにより、検索のためのキーワードを入力することができる。ソフトウェアキーボード２７６から文字を入力すると、入力文字がクロスメディアサーチバー２０２内に順次表示される。とともに、入力された文字列に基づいてキーワードが予測され、図１４に示すようなキーワード候補一覧２７８も表示される。入力文字列を含み、過去に使われたキーワードが候補としてリストアップされる。
【００６２】
キーワード候補一覧２７８から候補が選択されると、選択されたキーワードがクロスメディアサーチバー２０２内に表示される。とともに、キーワードがクラウドサーバ２０内の検索サーバ３０に送信され、キーワードに基づいてコンテンツが検索される。検索サーバ３０は、電子番組表の中の放送番組、ＨＤＤ１８４に記録されている録画番組、契約しているＶＯＤサーバ２４が所有しているビデオ作品をキーワードに基づいて検索し、キーワードに関連する番組、作品を検出し、検索結果をテレビジョン受信装置１２に返送する。検索結果表示画面を図１５に示す。検索結果表示画面は、クロスメディアサーチバー２０２と、検索結果一覧２８０とを含む。検索結果一覧２８０は、テレビ番組の場合は、放送局名と番組名、ビデオ作品の場合は、ＶＯＤのサービス会社名と作品名からなる。
【００６３】
図１６は、ソフトウェアキーボード２７６の表示の一例を示す。ソフトウェアキーボード２７６は図１６（ａ）に示すメディアガイドメニューを持つレイヤ１の上のレイヤ２に含まれる。これにより、ソフトウェアキーボード２７６はメディアガイドメニューの上に重畳される。さらに、図１６（ｂ）に示すようにレイヤ２はソフトウェアキーボード２７６のみならず、クロスメディアサーチバー２０２Ｂ、キーワード候補一覧２７８、ヒストリーボタン２７２、第１ホットキーボタン２７３、第２ホットキーボタン２７４も含む。リモートコントローラ１７０のカーソルキー６２ｂを押すと、カーソルは同じレイヤ内のボタン間のみを移動することが出来る。他のレイヤに移動させる場合は、決定キー６２ａを押して、アクティブなレイヤを閉じる必要がある。レイヤ１のクロスメディアサーチバー２０２とレイヤ２のクロスメディアサーチバー２０２Ｂは、別の表示コンポーネントであるが、同じ場所に配置されているので、レイヤ１とレイヤ２とを重畳した場合、あたかも同じレイヤにあるかの如く認識でき、同じコンポーネントとして表示される。
【００６４】
一般的なソフトウェアキーボード上でカーソルを移動して文字を入力する場合は、文字入力画面レイヤがあり、そこにソフトウェアキーボードレイヤが重畳される。文字の選択後、ソフトウェアキーボードレイヤが閉じられ、その文字が別のレイヤの検索キーワード欄に入力されて、検索に供される。このように、キーボードはキーボードのみでレイヤを構成し、文字入力欄は別のレイヤとなっているのが、一般的である。そのため、アクティブなレイヤを一旦閉じないと、カーソルが他のレイヤに移動できず、操作に時間が係る。これに対し、本実施形態では、キーボードのレイヤの中に入力欄（クロスメディアサーチバー２０２）、文字入力候補（キーワード候補一覧２７８）まで含める。このため、同じレイヤ内で文字入力、検索キーワード欄への入力が行なえるので、短時間にキーワード入力、検索が実行できる。
【００６５】
次に、図６の電子番組表の上部余白のカラーキーの定義アイコン欄２１９の機能について説明する。上述したように、リモートコントローラ１７０のカラーキーは状況に応じて種々の機能が割り当てられていて、電子番組表の表示中に割り当てられている機能の種類および／または設定状態がカラーキーアイコン２１４、２１６、２１８により表示されている。青のカラーキーアイコン２１４はジャンプを示し、赤のカラーキーアイコン２１６はチャンネルモードを示し、緑のカラーキーアイコン２１８はビューフィルタを示す。ジャンプは、電子番組表を大きく移動させる機能である。チャンネルモードは、電子番組表で表示するチャンネル数を絞る機能である。ビューフィルタは電子番組表の各番組枠の表示態様を種々の情報に基づいて制御する機能である。
【００６６】
図１７は、図６に示す電子番組表の表示中にリモートコントローラ１７０のカラーキー（青）６４が押された場合の画面例である。図１７（ａ）は図６と同じである。ユーザは電子番組表を大きく移動させたい場合、ジャンプのマークが表示されている青のカラーキーアイコン２１４を見て、リモートコントローラ１７０の青のカラーキー６４を押せばよいことが判る。青のカラーキー６４が押されると、図１７（ｃ）に示すように４方向がそれぞれ「現在」、「チャンネルジャンプ」、「日時指定」、「関連番組」を示す十字キーが図１７（ｂ）に示すように表示される。これは、青のカラーキー６４が押されると、リモートコントローラ１７０のカーソルキー６２ｂの４方向がそれぞれ「現在」、「チャンネルジャンプ」、「日時指定」、「関連番組」を選択できることを意味する。このように、青のカラーキー６４を押すことにより、リモートコントローラ１７０のカーソルキー６２ｂの機能を種々のジャンプを指示する機能に変更することが出来る。
【００６７】
この状態で、リモートコントローラ１７０のカーソルキー６２ｂの左キーを押すと、図１８に示すような現在メニュー２８８が表示される。現在メニュー２８８は、現在ボタン２９０のみならず、今夜ボタン２９２、明日の夜ボタン２９４を含み、何れかを選択すると、選択日の電子番組表へジャンプすることができる。
【００６８】
リモートコントローラ１７０のカーソルキー６２ｂの上キーを押すと、図１９に示すようなチャンネルジャンプメニュー２９６が表示される。チャンネルジャンプメニュー２９６は、１０キージャンプボタン２９８、チャンネルジャンプボタン３００、ブロックジャンプボタン３０２、最近チャンネルジャンプボタン３０４を含み、何れかを選択することが出来る。１０キージャンプボタン２９８が選択されると、図２０（ａ）に示すような３桁のチャンネル番号の入力画面が表示される。チャンネルジャンプボタン３００が選択されると、図２０（ｂ）に示すような各チャンネル番号毎の選択画面が表示される。最近チャンネルジャンプボタン３０４が選択されると、図２０（ｃ）に示すような最近視聴したチャンネル番号の画面が表示される。最近視聴した番組に基づいてこれから視聴する番組を選ぶと、ユーザの嗜好に合った番組を選ぶことができる。ブロックジャンプボタン３０２が選択されると、図２０（ｄ）に示すような３０チャンネル毎のチャンネルブロックの選択画面が表示される。
【００６９】
リモートコントローラ１７０のカーソルキー６２ｂの右キーを押すと、図２１に示すような日時指定メニューが表示される。カーソルを移動することにより、日付、時間を選択し、選択日時の電子番組表へジャンプすることができる。
【００７０】
リモートコントローラ１７０のカーソルキー６２ｂの下キーを押すと、図２２に示すような関連番組メニュー３１０が表示される。関連番組メニュー３１０は、録画予約リストボタン３１２、出演者リストボタン３１４、スタッフリストボタン３１６、ＶＯＤ／ＴＶリストボタン３１８、お薦めリストボタン３２０、履歴リストボタン３２２を含む。このように、関連番組メニューは、ある番組に関連する「情報カテゴリ毎」にリスト表示させることができ、選択の多様性を高めることができる。
【００７１】
図２３は、図６に示す電子番組表の表示中にリモートコントローラ１７０の赤のカラーキー６６が押された場合の画面例である。図２３（ａ）は図６と同じである。図２３（ｂ）に示すようにチャンネルモードメニュー３２６が表示される。チャンネルモードメニュー３２６はチャンネルモードとして、例えば、オール（全て）、お気に入り、子供向け（ジャンル１）、ショッピング（ジャンル２）、映画（ジャンル３）、音楽（ジャンル４）、スポーツ（ジャンル５）、地上波、ＢＳ、ＣＳ、録画予約済み、チャンネル毎を表示する。これらのモードを１つまたは複数、選択できる。いずれかのモードが選択されると、赤カラーキーアイコン２１６は、選択されたモードに応じたアイコンに変化する。これにより、赤カラーキーアイコン２１６の表示から、リモートコントローラ１７０の赤のカラーキー６６を押すとチャンネルモードを選択できることが判る。さらに、赤カラーキーアイコン２１６の表示から、現在どのモードが選択されているかを知ることもでき、ユーザに多機能性のヒントを与えることができる。このように、電子番組表に表示するチャンネルを特定のジャンル、種類に制限することにより、電子番組表から番組を選択することが容易になる。
【００７２】
図２４は、図６に示す電子番組表の表示中にリモートコントローラ１７０の緑のカラーキー６８が押された場合の画面例である。図２４（ａ）は図６と同じである。図２４（ｂ）に示すようにビューフィルタメニュー３３０が表示される。ビューフィルタメニュー３３０は、例えば録画ランキング、再生ランキング、お薦め、履歴、ショッピングの選択肢と、ＯＫボタン３３２、キャンセルボタン３３４、色設定ボタン３３６を含む。選択肢は電子番組表の各番組枠の表示態様を制御する情報を選択するもので、１つまたは複数、選択できる。録画ランキング、再生ランキング、お薦め、履歴、ショッピング等の情報はクラウドサーバ２０から送信される。
【００７３】
色設定ボタン３３６が選択されると、図２５に示すように、選択した情報の表示態様（色、アイコン等）を設定できるメニューが表示される。ここでは、番組枠の表示色を次のように設定する。淡い青はスポーツジャンル、ピンクは所定のキーワードを含むもの、ベージュは音楽ジャンル、薄い緑はソーシャルバズ、紫はドラマジャンルを示す。このように、番組枠の表示色を種々の情報に基づいて設定することができるので、電子番組表をユーザの好みに沿ってカスタマイズすることができ、ユーザの利便性が向上する。番組枠は枠自体を着色してもよいし、図７に示すように、番組枠２２２の番組名の前で枠の先頭に表示されるカラーバー２２４の色を変えてもよい。
【００７４】
ビューフィルタの色設定の他の例を表４に示す。表４は色だけではなく、アイコンも設定できる例を示す。アイコンのレベルとは、例えば星マークの数である。ランキングに応じて星マークの個数が変わる。
【表４】
2014132710.tif 000006
【００７５】
ソーシャルバズとは、インターネット１８で話題になっている等の番組を識別可能に表示するためのものである。バズの種類はユーザが選択できる。例えば、ソーシャルバズは表示しないで、「お勧め」だけのマークを表示する等の切り替えが可能である。
【００７６】
その他の例としては、ショッピンググモード、お気に入りキーワードあり、話題あり等の番組を識別可能に表示する。色の意味も、ジャンルでなく、情報のあるなしで色を使うこともできる。色やアイコンを使って、任意の情報（従来あったジャンル以外）を識別可能に表示することができる。番組表の各番組枠の中に、ソーシャルバズのメトリックをマークで表示することができる。お気に入りキーワードを含む番組のみ、番組表中で表示形態を変えることができる。
【００７７】
以上説明したように、第１の実施形態によれば、電子番組表から関連を辿って人物や番組等を検索する際、画面のレイアウトは変わらない。例えば、番組表本体の表示領域の上部に番組情報の領域が設けられる。関連の関連の…のように検索が進行しても、番組が変わらない限り、番組情報欄の領域の表示は変わらない。そのため、ユーザは、どの番組を起点に検索を行なっているかを常に認識でき、番組単位で検索ができ、ユーザフレンドリである。
【００７８】
また、検索文字を入力するため等にカーソルで操作するソフトウェアキーボードをメニュー等の画面に重畳して表示するが、ソフトウェアキーボードの表示レイヤに検索文字入力欄等も一緒に配置したので、ソフトウェアキーボードと検索文字入力欄とでカーソルを移動自在とすることができ、優れた操作性を実現できる。
【００７９】
また、リモートコントローラのキーに多機能を割り付けることができるが、現在、どの機能が割り付けられているかと、その機能における設定状態を示すキーアイコンを画面の例えば右上に表示するので、ユーザに多機能性のヒントを与えることができる。
【００８０】
さらに、電子番組表の表示態様（ビュー）を種々の条件に応じて変える、あるいは種々の情報を識別可能に表示するので、コンテンツの種類が膨大となっても、ユーザ毎に適切な表示制御をすることができる。
【００８１】
なお、実施形態の動作制御処理の手順はコンピュータプログラムによって実現することができるので、このコンピュータプログラムを格納したコンピュータ読み取り可能な記憶媒体を通じてこのコンピュータプログラムを通常のコンバーチブルコンピュータにインストールして実行するだけで、実施形態と同様の効果を容易に実現することができる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８３】
１２…テレビジョン受信装置、１４…ルータ、１６…モデム、１８…インターネット、２０…クラウドサーバ、４０…ソーシャルネットワークサービスサイト、２０２…クロスメディアサーチバー、２０４…番組表ウィンドウ、２０６…ＶＯＤポータルウィンドウ、２０８…ＴＶポータルウィンドウ、２０１…設定ウィンドウ。
【図１】
2014132710.tif 000007
【図２】
2014132710.tif 000008
【図３】
2014132710.tif 000009
【図４】
2014132710.tif 000010
【図５】
2014132710.tif 000011
【図６】
2014132710.tif 000012
【図７】
2014132710.tif 000013
【図８】
2014132710.tif 000014
【図９】
2014132710.tif 000015
【図１０】
2014132710.tif 000016
【図１１】
2014132710.tif 000017
【図１２】
2014132710.tif 000018
【図１３】
2014132710.tif 000019
【図１４】
2014132710.tif 000020
【図１５】
2014132710.tif 000021
【図１６】
2014132710.tif 000022
【図１７】
2014132710.tif 000023
【図１８】
2014132710.tif 000024
【図１９】
2014132710.tif 000025
【図２０】
2014132710.tif 000026
【図２１】
2014132710.tif 000027
【図２２】
2014132710.tif 000028
【図２３】
2014132710.tif 000029
【図２４】
2014132710.tif 000030
【図２５】
2014132710.tif 000031